(57)【要約】      （修正有）【課題】遊技球の帯電による、弾球遊技機の電子制御部品の破壊や、制御基板の誤動作などを防止するため、帯電している遊技球から静電気を放電させる。【解決手段】パチンコ機１には、その内部１１の遊技球９が送られる球移動可能領域１２であってその表面１２１に、帯電防止膜８が面形成されている。帯電防止膜８は透明導電膜であり、遊技盤４の表面に透明導電膜が面形成されている。また、球移動可能領域１２は、遊技盤４と、遊技盤４の遊技領域４３に遊技球９を送るためのガイドレール４２が含まれる。【選択図】図１
2010022438.tif 000002
【特許請求の範囲】
【請求項１】
弾球遊技機において、
機内の遊技球が送られる球移動可能領域であってその表面に、帯電防止膜が面形成されたことを特徴とする弾球遊技機。
【請求項２】
請求項１に記載の弾球遊技機において、
前記帯電防止膜は、透明導電膜であることを特徴とする弾球遊技機。
【請求項３】
請求項１または２に記載の弾球遊技機において、
前記帯電防止膜の厚みは、５〜５０ｎｍであることを特徴とする弾球遊技機。
【請求項４】
請求項１乃至３のうちいずれか１つに記載の弾球遊技機において、
前記帯電防止膜の面積当たりの抵抗値は、０．５〜２．０ｋΩ／ｍ2であることを特徴とする弾球遊技機。
【請求項５】
請求項１乃至４のうちいずれか１つに記載の弾球遊技機において、
前記球移動可能領域に、遊技盤が含まれることを特徴とする弾球遊技機。
【請求項６】
請求項５に記載の弾球遊技機において、
前記遊技盤には、障害釘を挿通させるための孔が形成され、
前記孔の径は、１．５〜２．０ｍｍであることを特徴とする弾球遊技機。
【請求項７】
請求項１乃至６のうちいずれか１つに記載の弾球遊技機において、
球移動可能領域に、遊技盤の遊技領域に遊技球を送るためのガイドレールが含まれることを特徴とする弾球遊技機。
【請求項８】
弾球遊技機の遊技盤において、
当該遊技盤の表面に、帯電防止膜である透明導電膜が面形成されたことを特徴とする弾球遊技機の遊技盤。
【発明の詳細な説明】
【技術分野】
【０００１】
本発明は弾球遊技機および遊技盤に関する。
【背景技術】
【０００２】
従来、パチンコ機等の弾球遊技機では、遊技球が通る通路（ガイドレール）や遊技盤などにおいて遊技球との摩擦が生じ、その結果、静電気が発生して球技球が帯電する。
【０００３】
この遊技球の帯電により、弾球遊技機の電子制御部品の破壊や、制御基板の誤動作などを誘発したりする。
【０００４】
そこで、この遊技球の帯電を放電させる方法として、特許文献１に示すような障害釘を接地させ、この障害釘に遊技球を接触させることで遊技球に帯電する静電気を放電させる従来技術がある。
【特許文献１】特開２００２−１７９８４号公報
【発明の開示】
【発明が解決しようとする課題】
【０００５】
しかしながら、この特許文献１に示すような従来技術の構成によれば、障害釘との接触によって遊技球に帯電した静電気を放電するため、障害釘と接触しない間、遊技球は帯電したままの状態となる。そのため、この特許文献１に示すような従来技術では、遊技球から十分な放電を行うことができない。
【０００６】
そこで、上記課題を解決するために、本発明は、帯電している遊技球から静電気を放電させる弾球遊技機および遊技盤を提供することを目的とする。
【課題を解決するための手段】
【０００７】
上記の目的を達成するため、本発明にかかる弾球遊技機は、当該機内の遊技球が送られる球移動可能領域であってその表面に、帯電防止膜が面形成されたことを特徴とする。特に、本発明では、当該機内の遊技球が送られる球移動可能領域であってその全表面に、帯電防止膜が面形成されることが好ましい。
【０００８】
本発明によれば、帯電している遊技球から静電気を放電させることが可能となる。具体的に、本発明によれば、前記機内の遊技球が送られる前記球移動可能領域であってその表面に、前記帯電防止膜が面形成されるので、前記球移動可能領域上を動く間（移動する間）、遊技球は常に前記帯電防止膜と接することになり、遊技球に帯電している静電気は、常に接する前記帯電防止膜により放電される。その結果、遊技球が帯電することによる弾球遊技機の電子制御部品の破壊や、制御基板の誤動作などを防止することが可能となる。また、本発明によれば、当該弾球遊技機を設計する際に、帯電防止用の電気回路を別途設計する必要がなく、製造コストを抑えることが可能となる。
【０００９】
前記構成において、前記帯電防止膜は透明導電膜であってもよい。
【００１０】
この場合、前記帯電防止膜は透明導電膜であるので、前記球移動可能領域の表面の形状を限定せずにいずれの形状であっても前記帯電防止膜を面形成することが可能となる。具体的に、比較例として帯電防止フィルムと比較して、帯電防止フィルムではその厚みや硬さにより三次元（立体）曲面形状や微細な形状に面形成することが難しい。それに対して、本発明に示す透明導電膜はその厚さが薄く、さらに柔らかく平坦な材質であるので、三次元曲面形状や微細な形状に容易に面形成を行うことができる。
【００１１】
前記構成において、前記帯電防止膜の厚みは５〜５０ｎｍであってもよい。
【００１２】
この場合、前記帯電防止膜の厚みは５〜５０ｎｍであるので、例えば、孔を加工するなど三次元（立体）曲面形状や微細な形状に面形成する場合に、切削や孔開けなどの加工後に前記帯電防止膜を形成することが可能となり、製造の自由度を増すことが可能となる。例えば、遊技盤に障害釘を挿通させるための孔が形成され、この孔の径は現在１．５〜２．０ｍｍとされている。この場合であっても、孔開け加工後に前記帯電防止膜を面形成することが可能となる。なお、比較例として、帯電防止フィルムの場合、孔開け加工後に帯電防止フィルムを形成することができないため、孔開け前に遊技盤に帯電防止フィルムを形成することになるが、この場合、孔開け加工時にフィルムの剥がれや破れ等の破損の可能性がある。
【００１３】
前記構成において、前記帯電防止膜の面積当たりの抵抗値は０．５〜２．０ｋΩ／ｍ2であってもよい。
【００１４】
この場合、前記帯電防止膜の抵抗値は０．５〜２．０ｋΩ／ｍ2であり、遊技球の帯電防止を図ることが可能となる。
【００１５】
前記構成において、前記遊技盤には障害釘を挿通させるための孔が形成され、前記孔の径は１．５〜２．０ｍｍであってもよい。
【００１６】
この場合、前記球移動可能領域に遊技盤が含まれ、前記孔の径は１．５〜２．０ｍｍであっても、前記孔を埋めることなく、前記帯電防止膜を面形成することが可能となる。
【００１７】
具体的に、前記球移動可能領域に前記遊技盤や前記ガイドレールが含まれることが好適である。
【００１８】
上記の目的を達成するため、本発明にかかる弾球遊技機の遊技盤は、当該遊技盤の表面に、帯電防止膜である透明導電膜が面形成されたことを特徴とする。
【００１９】
本発明によれば、帯電している遊技球から静電気を放電させることが可能となる。具体的に、本発明によれば、当該遊技盤の表面に帯電防止膜である透明導電膜が面形成されるので、当該遊技盤上で遊技球が動く間（移動する間）、遊技球は常に前記帯電防止膜と接することになり、遊技球に帯電している静電気は、常に接する前記帯電防止膜により放電される。その結果、遊技球が帯電することによる当該遊技盤を設けた弾球遊技機の電子制御部品の破壊や、制御基板の誤動作などを防止することが可能となる。また、本発明によれば、当該遊技盤を設計する際に、帯電防止用の電気回路を別途設計する必要がなく、製造コストを抑えることが可能となる。また、前記帯電防止膜は透明導電膜であるので、当該遊技盤の表面の形状を限定せずにいずれの形状であっても前記帯電防止膜を面形成することが可能となる。具体的に、比較例として帯電防止フィルムと比較して、帯電防止フィルムではその厚みや硬さにより三次元（立体）曲面形状や微細な形状に面形成することが難しい。それに対して、本発明に示す透明導電膜はその厚さが薄く、さらに柔らかく平坦な材質であるので、三次元曲面形状や微細な形状に容易に面形成を行うことができる。
【発明の効果】
【００２０】
本発明にかかる弾球遊技機および遊技盤によれば、帯電している遊技球から静電気を放電させることが可能となる。
【発明を実施するための最良の形態】
【００２１】
以下、本発明の実施の形態について図面を参照して説明する。なお、以下に示す実施例では、弾球遊技機としてパチンコ機に本発明を適用した場合を示す。なお、弾球遊技機として他にスマートボールなどの球体を用いた遊技機に適用可能である。
【００２２】
本実施例にかかるパチンコ機１には、矩形枠状の外側枠部２と、この外側枠部２の前面に開閉自在に設けられた前側枠部３とが設けられている。
【００２３】
前側枠部３には、遊技盤４が裏側から着脱自在に装着され、遊技盤４の前側に窓ガラス部５１を有する扉部５が開閉自在に設けられている。また、この前側枠部３には、発射用の遊技球９を貯留（供給）して待機させる球受け皿６１が設けられ、前側枠部３の下部に、球受け皿６１から溢流し又は抜き取った遊技球９を貯留する貯留部６２と、遊技球９の発射を操作する操作部７とが設けられている。
【００２４】
遊技盤４は絶縁材料のアクリル基材からなり、この遊技盤４には、図１，２に示すような金属製の外レール４２１と内レール４２２とからなるガイドレール４２がほぼ環状に設けられている。また、遊技盤４には、図３に示すように、障害釘４８を挿通させるための孔４９が形成され、孔４９の径は１．５〜２．０ｍｍとされている。
【００２５】
ガイドレール４２の内側の遊技領域４３には、表示部４４（カラー表示）、図柄始動手段（図柄始動兼入賞手段）４５、開閉式入賞手段（大入賞手段）４６、２つのゲート部４７（通過口）等が夫々所定の位置に配設されている。
【００２６】
表示部４４は、変動図柄を表示するとともに背景画像や各種のキャラクタの動画などを表示するものとして機能する。この表示部４４では、背景画やキャラクタを動画的に表示するとともに、例えば左右方向に３個（左、中、右）の図柄を表示し、図柄始動手段４５に遊技球９が入賞することを条件に、各表示図柄が所定時間だけスクロール表示し、図柄始動手段４５への遊技球９の入賞タイミングに応じた抽選結果に基づいてスクロール表示する図柄を停止する。
【００２７】
上記したような構成からなるパチンコ機１の内部１１（機内）には、遊技球９が送られる球移動可能領域１２が設けられている。この球移動可能領域１２の表面１２１（具体的に全表面）に、帯電防止膜８が面形成され、帯電防止膜８は図示しない導通部により接地する。
【００２８】
なお、本実施例でいう帯電防止膜８は透明導電膜であり、その帯電防止膜８の厚みは約１０ｎｍであり、その帯電防止膜８の面積当たりの抵抗値は約１．５ｋΩ／ｍ2である。具体的に、本実施例では、透明導電膜としてＩＴＯ膜を用いている。しかしながら、透明導電膜はＩＴＯ膜に限定されるものではなくＩＺＯ膜、ＺｎＯ系、ＳｎＯ2系などの他の膜であってもよい。
【００２９】
本実施例にかかる球移動可能領域１２には、図３に示す遊技盤４（具体的にガイドレール４２の内側の遊技領域４３）と、遊技領域４３に遊技球９を送るための図２に示すガイドレール４２が含まれる。具体的に、遊技盤４の表面４１に帯電防止膜８である透明導電膜が面形成され、ガイドレール４２の外レール４２１と内レール４２２の表面４２３に帯電防止膜８である透明導電膜が面形成されている。
【００３０】
なお、本実施例では、球移動可能領域１２に遊技盤４とガイドレール４２とが含まれているが、球移動可能領域１２はこれに限定されるものではなく、遊技盤４とガイドレール４２とのいずれか一方だけであってもよい。また、パチンコ機１の内部１１（機内）の遊技球９が移動可能な領域であれば任意の領域を球移動可能領域１２としてもよい。
【００３１】
また、本実施例では、金属製の外レールと内レールとからなるガイドレール４２を用いているが、ガイドレールの材料が絶縁材料であれば本実施例の構成（本発明の手段）を用いることによる更なる効果を有する。
【００３２】
上記したように、本実施例にあっかるパチンコ機１によれば、帯電している遊技球９から静電気を放電させることができる。具体的に、本実施例によれば、パチンコ機１の内部（機内）の遊技球９が送られる球移動可能領域１２であってその表面１２１（例えば本実施例では遊技盤４の表面４１とガイドレール４２の表面４２３）に、帯電防止膜８が面形成されるので、球移動可能領域１２上を動く間（移動する間）、遊技球９は常に帯電防止膜８と接することになり、遊技球９に帯電している静電気は、常に接する帯電防止膜８により放電される。その結果、遊技球９が帯電することによるパチンコ機１の電子制御部品の破壊や、制御基板の誤動作などを防止することができる。また、本実施例によれば、パチンコ機１を設計する際に、帯電防止用の電気回路を別途設計する必要がなく、製造コストを抑えることができる。特に、パチンコ機１の内部（機内）の遊技球９が送られる球移動可能領域１２であってその全表面に、帯電防止膜８が面形成されることで、本実施例の上記した作用効果は更に顕著に表れる。
【００３３】
また、帯電防止膜８は透明導電膜であるので、球移動可能領域１２の表面１２１の形状を限定せずにいずれの形状であっても帯電防止膜８を面形成することができる。具体的に、比較例として帯電防止フィルムと比較して、帯電防止フィルムではその厚みや硬さにより三次元（立体）曲面形状や微細な形状に面形成することが難しい。それに対して、本実施例に示す透明導電膜はその厚さが薄く、さらに柔らかく平坦な材質であるので、三次元曲面形状や微細な形状に容易に面形成を行うことができる。
【００３４】
また、帯電防止膜８の厚みは約１０ｎｍであるので、例えば、障害釘４８を設けるための孔４９を加工するなど三次元（立体）曲面形状や微細な形状に面形成する場合に、切削や孔開けなどの加工後に帯電防止膜８を形成することができ、パチンコ機１の製造の自由度を増すことができる。
【００３５】
例えば、遊技盤４に障害釘４８を挿通させるための孔４９が形成され、この孔４９の径は現在１．５〜２．０ｍｍとされている。この場合であっても、孔開け加工後に帯電防止膜８を面形成することができる。なお、比較例として、従来の帯電防止フィルムの場合、孔開け加工後に帯電防止フィルムを形成することができないため、孔開け前に遊技盤に帯電防止フィルムを形成することになるが、この場合、孔開け加工時にフィルムの剥がれや破れ等の破損の可能性がある。これに対して、本実施例では、帯電防止膜８の剥がれや破れ等の破損はない。
【００３６】
また、帯電防止膜の面積当たりの抵抗値は約１．５ｋΩ／ｍ2であり、遊技球９の帯電防止を図るのに好適な抵抗値である。
【００３７】
また、球移動可能領域１２に遊技盤４が含まれ、遊技盤４に形成された孔４９の径が１．５〜２．０ｍｍであっても、孔４９を埋めることなく、帯電防止膜８を面形成することができる。
【００３８】
また、本実施例に示すように、具体的に球移動可能領域１２に遊技盤４やガイドレール４２が含まれることが好適である。
【００３９】
また、上記したように、本実施例にかかる遊技盤４によれば、帯電している遊技球９から静電気を放電させることが可能となる。具体的に、本実施例によれば、遊技盤４の表面４１に帯電防止膜８である透明導電膜が面形成されるので、遊技盤４上で遊技球９が動く間（移動中）、遊技球９は常に帯電防止膜８と接することになり、遊技球９に帯電している静電気は、常に接する帯電防止膜８により放電される。その結果、遊技球９が帯電することによる遊技盤４を設けたパチンコ機１の電子制御部品の破壊や、制御基板の誤動作などを防止することができる。また、本実施例によれば、遊技盤４を設計する際に、帯電防止用の電気回路を別途設計する必要がなく、製造コストを抑えることができる。また、帯電防止膜８は透明導電膜であるので、遊技盤４の表面４１の形状を限定せずにいずれの形状であっても帯電防止膜８を面形成することができる。
【００４０】
なお、本実施例では、帯電防止膜８の面積当たりの抵抗値が約１．５ｋΩ／ｍ2であるが、これは好適な例である。そのため、これに限定されるものではなく、帯電防止膜８の面積当たりの抵抗値が０．５〜２．０ｋΩ／ｍ2であればよい。
【００４１】
また、本実施例では、帯電防止膜８の厚みが約１０ｎｍであるが、これは好適な例である。そのため、これに限定されるものではなく、帯電防止膜８の厚みが５〜５０ｎｍであればよい。
【００４２】
なお、本発明は、その精神や主旨または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００４３】
本発明は、弾球遊技機としてパチンコ機に好適である。
【図面の簡単な説明】
【００４４】
【図１】図１は、本実施例にかかるパチンコ機１の概略構成を示した概略正面図である。
【図２】図２は、本実施例にかかる遊技盤に設けられたガイドレールと帯電防止膜との関係を示した遊技盤の拡大断面図である。
【図３】図３は、本実施例にかかる遊技盤に形成された孔と帯電防止膜との関係を示した遊技盤の拡大断面図である。
【符号の説明】
【００４５】
１  パチンコ機
１１  パチンコ機の内部（機内）
１２  球移動可能領域
１２１  表面
２  外側枠部
３  前側枠部
４  遊技盤
４１  表面
４２  ガイドレール
４２１  外レール
４２２  内レール
４２３  表面
４３  遊技領域
４４  表示部
４５  図柄始動手段
４６  開閉式入賞手段
４７  ゲート部
４８  障害釘
４９  孔
５  扉部
５１  窓ガラス部
６１  球受け皿
６２  貯留部
７  操作部
８  帯電防止膜
９  遊技球
【図１】
2010022438.tif 000003
【図２】
2010022438.tif 000004
【図３】
2010022438.tif 000005